(57)【要約】【課題】所定の場所の周辺に存在する人物の属性情報を効率よく低コストに収集することができるようにする。【解決手段】歩行者端末装置を利用する人物（歩行者）や車載端末装置を利用する人物（車両の運転者および同乗者）に関する属性情報が、歩車間通信のデータ通信フォーマットで規定された自由領域に格納されたメッセージを、歩行者端末装置や車載端末装置から店舗端末装置に送信し、受信したメッセージに含まれる人物の属性情報を、店舗端末装置からネットワークを介してサーバ装置に転送する。これにより、歩車間通信の通信エリア内に存在する歩行者端末装置や車載端末装置から送信されるメッセージを通信装置が受信するため、所定の場所に設置された通信装置で、所定の場所の周辺に存在する人物の属性情報を効率よく低コストに収集することができる。【選択図】図２
2018026718.tif 000002
【特許請求の範囲】
【請求項１】
施設に設置され、前記施設の周辺に位置する歩車間通信端末装置との間で、歩車間通信のデータ通信フォーマットに基づくメッセージを送受信する通信装置であって、
前記歩車間通信端末装置を利用する人物の属性情報を含む前記メッセージを、前記歩車間通信端末装置から歩車間通信で受信する受信部と、
前記受信した前記人物の属性情報を、ネットワークを介してサーバ装置に転送する転送部と、を備えることを特徴とする通信装置。
【請求項２】
前記歩車間通信端末装置は、歩行者が所持する歩行者端末装置であり、
前記受信部は、前記歩行者に関する前記属性情報が格納された前記メッセージを受信することを特徴とする請求項１に記載の通信装置。
【請求項３】
前記歩車間通信端末装置は、車両に搭載される車載端末装置であり、
前記受信部は、前記車両の運転者および同乗者の少なくともいずれかに関する前記属性情報が格納された前記メッセージを受信することを特徴とする請求項１に記載の通信装置。
【請求項４】
前記転送部は、前記人物の属性情報に、前記施設の識別情報または自通信装置の識別情報を付加して、前記サーバ装置に転送することを特徴とする請求項１に記載の通信装置。
【請求項５】
前記歩車間通信端末装置を利用する人物に報知する報知情報を含む前記メッセージを、前記歩車間通信端末装置に歩車間通信で送信する送信部をさらに備えることを特徴とする請求項１から請求項４のいずれかに記載の通信装置。
【請求項６】
前記報知情報は、前記サーバ装置に転送された前記人物の属性情報の分析結果に基づいて生成される前記施設に関する宣伝広告情報であることを特徴とする請求項５に記載の通信装置。
【請求項７】
歩車間通信端末装置と、施設に設置され、前記施設の周辺に位置する前記歩車間通信端末装置との間で、歩車間通信のデータ通信フォーマットに基づくメッセージを送受信する通信装置と、この通信装置とネットワークを介して接続するサーバ装置と、を備える通信システムであって、
前記通信装置は、
前記歩車間通信端末装置を利用する人物の属性情報を含む前記メッセージを、前記歩車間通信端末装置から歩車間通信で受信する受信部と、
前記受信した前記人物の属性情報を、ネットワークを介してサーバ装置に転送する転送部と、を備えることを特徴とする通信システム。
【請求項８】
前記通信装置は、
前記歩車間通信端末装置を利用する人物に報知する報知情報を含む前記メッセージを、前記歩車間通信端末装置に歩車間通信で送信する送信部をさらに備えることを特徴とする請求項７に記載の通信システム。
【請求項９】
前記施設内に設置される情報処理装置をさらに備え、
前記サーバ装置は、
前記通信装置から送信される前記属性情報を受信する受信部と、
前記属性情報に基づいて分析処理を行って分析結果情報を生成する制御部と、
前記分析結果情報を前記情報処理装置に送信する送信部と、を備え、
前記情報処理装置は、
前記サーバ装置から送信される前記分析結果情報を受信する受信部と、
前記分析結果情報を表示する表示部と、
前記分析結果情報を閲覧したユーザが、前記報知情報を入力する操作を行う入力操作部と、
前記報知情報を前記通信装置に送信する送信部と、を備えることを特徴とする請求項８に記載の通信システム。
【請求項１０】
前記サーバ装置は、
前記通信装置から送信される前記属性情報を受信する受信部と、
前記属性情報に基づいて分析処理を行うとともに、その分析結果情報に基づいて前記報知情報を生成する制御部と、
前記報知情報を前記通信装置に送信する送信部と、を備えることを特徴とする請求項８に記載の通信システム。
【請求項１１】
前記通信装置の前記送信部は、前記報知情報の対象を指定した対象属性情報を、前記報知情報とともに含む前記メッセージを、前記歩車間通信端末装置に送信し、
前記歩車間通信端末装置は、
前記通信装置から送信される前記メッセージを受信する受信部と、
前記メッセージに格納された前記対象属性情報が自装置の前記属性情報と一致する場合に、前記報知情報を出力する制御部と、
を備えることを特徴とする請求項８から請求項１０のいずれかに記載の通信システム。
【請求項１２】
所定の場所の周辺に存在する人物の属性情報を収集する情報収集方法であって、
歩車間通信端末装置を利用する人物の属性情報が、歩車間通信のデータ通信フォーマットに含まれたメッセージを、前記歩車間通信端末装置から、前記所定の場所に設置された通信装置が受信し、
前記受信した前記人物の属性情報を、ネットワークを介してサーバ装置に転送することを特徴とする情報収集方法。
【請求項１３】
所定の場所の周辺に存在する歩車間通信端末装置を利用する人物に、所定の情報を報知する情報報知方法であって、
前記歩車間通信端末装置を利用する人物の属性情報が、歩車間通信のデータ通信フォーマットに含まれたメッセージを、前記歩車間通信端末装置から、前記所定の場所に設置された通信装置が受信し、
前記受信した前記人物の属性情報を、ネットワークを介してサーバ装置に転送し、
前記サーバ装置に転送された前記人物の属性情報の分析結果に基づく報知情報を受信し、
前記報知情報を含む前記歩車間通信のデータ通信フォーマットに基づくメッセージを、前記歩車間通信端末装置に歩車間通信で送信することを特徴とする情報報知方法。
【発明の詳細な説明】
【技術分野】
【０００１】
本発明は、歩車間通信端末装置との間で、歩車間通信のデータ通信フォーマットに基づくメッセージを送受信する通信装置、歩車間通信端末装置と通信装置とを備える通信システム、所定の場所の周辺に存在する人物の属性情報を収集する情報収集方法、および所定の場所の周辺に存在する歩車間通信端末装置を利用する人物に所定の情報を報知する情報報知方法に関するものである。
【背景技術】
【０００２】
スーパーマーケットなどの店舗では、店舗の周辺に存在する人物、すなわち、店舗の前の道路を通行する歩行者や車両の搭乗者に関する属性情報（性別や年齢など）を収集して、その収集した属性情報を用いて分析を行い、その分析結果に基づいて宣伝広告の内容を検討すると、効果的な宣伝広告を行うことができる。
【０００３】
このような特定の場所の周辺に存在する人物の属性情報を収集して効果的な宣伝広告を行う技術として、従来、ユーザが所持する携帯電話端末などの携帯通信端末から、ユーザ識別情報と位置情報とを含むプローブ情報を、基地局とネットワークとを介して情報収集サーバに送信し、情報収集サーバにおいて、受信したプローブ情報に基づいて、デジタルサイネージの広告エリアに位置するユーザを特定する技術が知られている（特許文献１参照）。
【先行技術文献】
【特許文献】
【０００４】
【特許文献１】特開２０１３−０７３２９０号公報
【発明の概要】
【発明が解決しようとする課題】
【０００５】
しかしながら、前記従来の技術では、情報収集サーバにおいて、携帯通信端末の各々から送信されるプローブ情報を受信して、デジタルサイネージの広告エリアに位置するユーザを選び出すようにしている。このため、情報収集サーバで行われる処理が煩雑で効率が悪く、また、プローブ情報の送信には通信料が高いセルラー通信を利用することから、通信コストが嵩むという問題があった。
【０００６】
そこで、本発明は、所定の場所の周辺に存在する人物の属性情報を効率よく低コストに収集することができる通信装置、通信システムおよび情報収集方法を提供することを主な目的とする。また、本発明は、所定の場所の周辺に存在する人物に情報を効率よく低コストに報知することができる情報報知方法を提供することも目的とする。
【課題を解決するための手段】
【０００７】
本発明の通信装置は、施設に設置され、前記施設の周辺に位置する歩車間通信端末装置との間で、歩車間通信のデータ通信フォーマットに基づくメッセージを送受信する通信装置であって、前記歩車間通信端末装置を利用する人物の属性情報を含む前記メッセージを、前記歩車間通信端末装置から歩車間通信で受信する受信部と、前記受信した前記人物の属性情報を、ネットワークを介してサーバ装置に転送する転送部と、を備える構成とする。
【０００８】
また、本発明の通信システムは、歩車間通信端末装置と、施設に設置され、前記施設の周辺に位置する前記歩車間通信端末装置との間で、歩車間通信のデータ通信フォーマットに基づくメッセージを送受信する通信装置と、この通信装置とネットワークを介して接続するサーバ装置と、を備える通信システムであって、前記通信装置は、前記歩車間通信端末装置を利用する人物の属性情報を含む前記メッセージを、前記歩車間通信端末装置から歩車間通信で受信する受信部と、前記受信した前記人物の属性情報を、ネットワークを介してサーバ装置に転送する転送部と、を備える構成とする。
【０００９】
また、本発明の情報収集方法は、所定の場所の周辺に存在する人物の属性情報を収集する情報収集方法であって、歩車間通信端末装置を利用する人物の属性情報が、歩車間通信のデータ通信フォーマットに含まれたメッセージを、前記歩車間通信端末装置から、前記所定の場所に設置された通信装置が受信し、前記受信した前記人物の属性情報を、ネットワークを介してサーバ装置に転送する構成とする。
【００１０】
また、本発明の情報報知方法は、所定の場所の周辺に存在する歩車間通信端末装置を利用する人物に、所定の情報を報知する情報報知方法であって、前記歩車間通信端末装置を利用する人物の属性情報が、歩車間通信のデータ通信フォーマットに含まれたメッセージを、前記歩車間通信端末装置から、前記所定の場所に設置された通信装置が受信し、前記受信した前記人物の属性情報を、ネットワークを介してサーバ装置に転送し、前記サーバ装置に転送された前記人物の属性情報の分析結果に基づく報知情報を受信し、前記報知情報を含む前記歩車間通信のデータ通信フォーマットに基づくメッセージを、前記歩車間通信端末装置に歩車間通信で送信する構成とする。
【発明の効果】
【００１１】
本発明の通信装置、通信システムおよび情報収集方法によれば、歩車間通信の通信エリア内に存在する歩車間通信端末装置から送信されるメッセージを通信装置が受信するため、所定の場所（施設）に設置された通信装置で、所定の場所の周辺に存在する人物の属性情報を効率よく低コストに収集することができる。また、本発明の情報報知方法によれば、通信装置から送信されるメッセージが、歩車間通信の通信エリア内に存在する歩車間通信端末装置で受信されるため、所定の場所の周辺に存在する人物に情報を効率よく低コストに報知することができる。
【図面の簡単な説明】
【００１２】
【図１】第１実施形態に係る通信システムの全体構成図
【図２】歩行者端末装置１、車載端末装置３、店舗端末装置５、ユーザ端末装置６およびサーバ装置７の動作の概要を示すシーケンス図
【図３】歩行者端末装置１の概略構成を示すブロック図
【図４】車載端末装置３の概略構成を示すブロック図
【図５】店舗端末装置５の概略構成を示すブロック図
【図６】ユーザ端末装置６の概略構成を示すブロック図
【図７】サーバ装置７の概略構成を示すブロック図
【図８】歩車間通信のメッセージの基本構成を示す説明図
【図９】歩行者端末装置１から送信されるメッセージの内容を示す説明図
【図１０】歩行者端末装置１でのメッセージ送信時の動作手順を示すフロー図
【図１１】車載端末装置３から送信されるメッセージの内容を示す説明図
【図１２】車載端末装置３でのメッセージ送信時の動作手順を示すフロー図
【図１３】店舗端末装置５からサーバ装置７に送信される転送情報の内容を示す説明図
【図１４】店舗端末装置５でのメッセージ受信時の動作手順を示すフロー図
【図１５】転送情報受信時の動作手順を示すフロー図、および分析処理に関する動作手順を示すフロー図
【図１６】店舗管理データベースの登録内容を示す説明図
【図１７】周辺端末データベースの登録内容を示す説明図
【図１８】サーバ装置７の分析処理で生成される分析結果情報の一例を示す説明図
【図１９】サーバ装置７の分析処理で生成される分析結果情報の一例を示す説明図
【図２０】店舗端末装置５から歩行者端末装置１を宛先として送信されるメッセージの内容を示す説明図
【図２１】店舗端末装置５から車載端末装置３を宛先として送信されるメッセージの内容を示す説明図
【図２２】店舗端末装置５でのメッセージ送信時の動作手順を示すフロー図
【図２３】歩行者端末装置１でのメッセージ受信時の動作手順を示すフロー図
【図２４】車載端末装置３でのメッセージ受信時の動作手順を示すフロー図
【図２５】第２実施形態に係る歩行者端末装置１、車載端末装置３、店舗端末装置５およびサーバ装置７で行われる処理の概要を示すシーケンス図
【図２６】配信情報データベースの登録内容を示す説明図
【発明を実施するための形態】
【００１３】
前記課題を解決するためになされた第１の発明は、施設に設置され、前記施設の周辺に位置する歩車間通信端末装置との間で、歩車間通信のデータ通信フォーマットに基づくメッセージを送受信する通信装置であって、前記歩車間通信端末装置を利用する人物の属性情報を含む前記メッセージを、前記歩車間通信端末装置から歩車間通信で受信する受信部と、前記受信した前記人物の属性情報を、ネットワークを介してサーバ装置に転送する転送部と、を備える構成とする。
【００１４】
これによると、歩車間通信の通信エリア内に存在する歩車間通信端末装置から送信されるメッセージを通信装置が受信するため、所定の場所（施設）に設置された通信装置で、所定の場所の周辺に存在する人物の属性情報を効率よく低コストに収集することができる。
【００１５】
また、第２の発明は、前記歩車間通信端末装置は、歩行者が所持する歩行者端末装置であり、前記受信部は、前記歩行者に関する前記属性情報が格納された前記メッセージを受信する構成とする。
【００１６】
これによると、歩行者の属性情報を効率よく収集することができる。
【００１７】
また、第３の発明は、前記歩車間通信端末装置は、車両に搭載される車載端末装置であり、前記受信部は、前記車両の運転者および同乗者の少なくともいずれかに関する前記属性情報が格納された前記メッセージを受信する構成とする。
【００１８】
これによると、車両の運転者や同乗者の属性情報を効率よく収集することができる。なお、車両自体の属性情報をメッセージに格納して、車両自体の属性情報を収集するようにしてもよい。
【００１９】
また、第４の発明は、前記転送部は、前記人物の属性情報に、前記施設の識別情報または自通信装置の識別情報を付加して、前記サーバ装置に転送する構成とする。
【００２０】
これによると、人物の属性情報を施設ごとに分けて収集することができる。
【００２１】
また、第５の発明は、前記歩車間通信端末装置を利用する人物に報知する報知情報を含む前記メッセージを、前記歩車間通信端末装置に歩車間通信で送信する送信部をさらに備える構成とする。
【００２２】
これによると、通信装置から送信されるメッセージが、歩車間通信の通信エリア内に存在する歩車間通信端末装置で受信されるため、所定の場所（施設）の周辺に存在する人物に情報を効率よく低コストに報知することができる。
【００２３】
また、第６の発明は、前記報知情報は、前記サーバ装置に転送された前記人物の属性情報の分析結果に基づいて生成される前記施設に関する宣伝広告情報である構成とする。
【００２４】
これによると、施設の周辺に存在する人物に、その人物に適した施設の宣伝広告を報知することができる。
【００２５】
また、第７の発明は、歩車間通信端末装置と、施設に設置され、前記施設の周辺に位置する前記歩車間通信端末装置との間で、歩車間通信のデータ通信フォーマットに基づくメッセージを送受信する通信装置と、この通信装置とネットワークを介して接続するサーバ装置と、を備える通信システムであって、前記通信装置は、前記歩車間通信端末装置を利用する人物の属性情報を含む前記メッセージを、前記歩車間通信端末装置から歩車間通信で受信する受信部と、前記受信した前記人物の属性情報を、ネットワークを介してサーバ装置に転送する転送部と、を備える構成とする。
【００２６】
これによると、第１の発明と同様に、所定の場所の周辺に存在する人物の属性情報を効率よく低コストに収集することができる。
【００２７】
また、第８の発明は、前記通信装置は、前記歩車間通信端末装置を利用する人物に報知する報知情報を含む前記メッセージを、前記歩車間通信端末装置に歩車間通信で送信する送信部をさらに備える構成とする。
【００２８】
これによると、通信装置から送信されるメッセージが、歩車間通信の通信エリア内に存在する歩車間通信端末装置で受信されるため、所定の場所の周辺に存在する人物に情報を効率よく低コストに報知することができる。
【００２９】
また、第９の発明は、前記施設内に設置される情報処理装置をさらに備え、前記サーバ装置は、前記通信装置から送信される前記属性情報を受信する受信部と、前記属性情報に基づいて分析処理を行って分析結果情報を生成する制御部と、前記分析結果情報を前記情報処理装置に送信する送信部と、を備え、前記情報処理装置は、前記サーバ装置から送信される前記分析結果情報を受信する受信部と、前記分析結果情報を表示する表示部と、前記分析結果情報を閲覧したユーザが、前記報知情報を入力する操作を行う入力操作部と、前記報知情報を前記通信装置に送信する送信部と、を備える構成とする。
【００３０】
これによると、第１の情報処理装置で行われる属性情報に基づく分析処理で生成した分析結果情報に基づいて報知情報の内容をユーザが検討することができるため、所定の場所の周辺に存在する人物に適切な内容の報知情報を報知することができる。
【００３１】
また、第１０の発明は、前記サーバ装置は、前記通信装置から送信される前記属性情報を受信する受信部と、前記属性情報に基づいて分析処理を行うとともに、その分析結果情報に基づいて前記報知情報を生成する制御部と、前記報知情報を前記通信装置に送信する送信部と、を備える構成とする。
【００３２】
これによると、情報処理装置で報知情報が生成されるため、分析結果情報に基づいて報知情報の内容をユーザが検討する手間や、報知情報をユーザが入力する手間を省くことができる。
【００３３】
また、第１１の発明は、前記通信装置の前記送信部は、前記報知情報の対象を指定した対象属性情報を、前記報知情報とともに含む前記メッセージを、前記歩車間通信端末装置に送信し、前記歩車間通信端末装置は、前記通信装置から送信される前記メッセージを受信する受信部と、前記メッセージに格納された前記対象属性情報が自装置の前記属性情報と一致する場合に、前記報知情報を出力する制御部と、を備える構成とする。
【００３４】
これによると、歩車間通信によりメッセージをブロードキャストで送信する場合でも、報知情報の対象に指定した属性に該当する人物にのみ報知情報を報知することができる。
【００３５】
また、第１２の発明は、所定の場所の周辺に存在する人物の属性情報を収集する情報収集方法であって、歩車間通信端末装置を利用する人物の属性情報が、歩車間通信のデータ通信フォーマットに含まれたメッセージを、前記歩車間通信端末装置から、前記所定の場所に設置された通信装置が受信し、前記受信した前記人物の属性情報を、ネットワークを介してサーバ装置に転送する構成とする。
【００３６】
これによると、第１の発明と同様に、所定の場所の周辺に存在する人物の属性情報を効率よく低コストに収集することができる。
【００３７】
また、第１３の発明は、所定の場所の周辺に存在する歩車間通信端末装置を利用する人物に、所定の情報を報知する情報報知方法であって、前記歩車間通信端末装置を利用する人物の属性情報が、歩車間通信のデータ通信フォーマットに含まれたメッセージを、前記歩車間通信端末装置から、前記所定の場所に設置された通信装置が受信し、前記受信した前記人物の属性情報を、ネットワークを介してサーバ装置に転送し、前記サーバ装置に転送された前記人物の属性情報の分析結果に基づく報知情報を受信し、前記報知情報を含む前記歩車間通信のデータ通信フォーマットに基づくメッセージを、前記歩車間通信端末装置に歩車間通信で送信する構成とする。
【００３８】
これによると、通信装置から送信されるメッセージが、歩車間通信の通信エリア内に存在する歩車間通信端末装置で受信されるため、所定の場所の周辺に存在する人物に情報を効率よく低コストに報知することができる。
【００３９】
以下、本発明の実施の形態を、図面を参照しながら説明する。
【００４０】
（第１実施形態）
図１は、第１実施形態に係る通信システムの全体構成図である。
【００４１】
この通信システムは、歩行者が所持する歩行者端末装置１（歩車間通信端末装置）および携帯情報端末装置２と、車両に搭載される車載端末装置３（歩車間通信端末装置）およびカーナビゲーション装置４と、店舗等の施設に設置される店舗端末装置５およびユーザ端末装置６（第２の情報処理装置）と、属性情報を収集するサーバ装置７（第１の情報処理装置）と、を備えている。
【００４２】
この通信システムでは、所要の情報を含むメッセージを、歩行者端末装置１と車載端末装置３との間で送受信し、また、車載端末装置３同士で送受信し、さらに、歩行者端末装置１と店舗端末装置５との間、および車載端末装置３と店舗端末装置５との間で送受信する。このメッセージの送受信を、ＩＴＳ無線通信、すなわち、ＩＴＳ（Intelligent Transport System：高度道路交通システム）を利用した安全運転支援無線システムで採用されている周波数帯（例えば７００ＭＨｚ帯や５．８ＧＨｚ帯）を利用した無線通信により行う。
【００４３】
ここで、本実施形態では、歩行者端末装置１と車載端末装置３との間でメッセージを送受信する場合を歩車間通信とし、車載端末装置３同士でメッセージを送受信する場合を車車間通信としているが、歩車間通信および車車間通信で送受信されるメッセージは、共通の仕様（データ構成）に基づくものである。また、このＩＴＳ無線通信（歩車間通信および車車間通信）では、メッセージが定期的に所定の間隔（１００msec）でブロードキャストにより送信される。
【００４４】
また、歩行者端末装置１および車載端末装置３は、自装置の位置情報を取得する測位機能を備えており、この測位機能で取得した位置情報、方位情報および速度情報を、歩行者端末装置１と車載端末装置３との間で交換することで、歩行者端末装置１および車載端末装置３の各々において、歩行者に車両が衝突する可能性が高いか否かを判定する危険判定を行うことができる。また、測位機能で取得した位置情報、方位情報および速度情報を、車載端末装置３同士で交換することで、車載端末装置３において、自車両が他車両に衝突する可能性が高いか否かを判定する危険判定を行うことができる。
【００４５】
携帯情報端末装置２は、スマートフォン、携帯電話、タブレット端末、ウェアラブル端末などであり、この携帯情報端末装置２は歩行者端末装置１と接続されている。また、カーナビゲーション装置４は、運転者に対して経路案内を行うものであり、このカーナビゲーション装置４は車載端末装置３と接続されている。
【００４６】
なお、歩行者端末装置１は、携帯情報端末装置２に内蔵されたものとしてもよく、車載端末装置３は、カーナビゲーション装置４に内蔵されたものとしてもよい。
【００４７】
歩行者端末装置１において、衝突の可能性が高いものと判定されると、事故回避のための歩行者に対する注意喚起の出力動作（例えば音声出力や振動など）を携帯情報端末装置２に行わせる。また、車載端末装置３において、衝突の可能性が高いものと判定されると、事故回避のための運転者に対する注意喚起の出力動作（例えば音声出力や画面表示など）をカーナビゲーション装置４に行わせる。
【００４８】
なお、歩行者端末装置１自身が注意喚起の出力動作を行うものとしてもよい。また、車載端末装置３自身が注意喚起の出力動作を行うものとしてもよい。また、車載端末装置３が、運転者が所持する携帯情報端末装置２と接続されて、運転者に対する注意喚起などの出力動作を携帯情報端末装置２に行わせるようにしてもよい。
【００４９】
また、歩行者端末装置１を所持した人物は歩行者に限定されるものではなく、歩行者端末装置１を所持した人物が自転車等の軽車両に乗車する場合もある。
【００５０】
店舗端末装置５は、歩行者端末装置１および車載端末装置３との間で歩車間通信を行う通信機能を備えており、歩車間通信のメッセージに所要の情報を格納することで、歩行者端末装置１および車載端末装置３との間で情報を交換することができる。また、店舗端末装置５は、店舗内ＬＡＮ、ルータ８およびインターネットを介してサーバ装置７と接続されており、歩行者端末装置１および車載端末装置３から取得した情報をサーバ装置７に提供することができる。
【００５１】
ユーザ端末装置６は、ＰＣやタブレット端末などである。このユーザ端末装置６は、店舗内ＬＡＮ、ルータ８およびインターネットを介してサーバ装置７と接続されており、サーバ装置７から配信される情報を表示することができる。また、ユーザ端末装置６は、店舗内ＬＡＮを介して店舗端末装置５と接続されており、ユーザ端末装置６でユーザが入力した情報を店舗端末装置５に送信することができる。
【００５２】
ここで、ＩＴＳ無線通信（歩車間通信）の通信エリアは、半径２００〜３００ｍ程度で比較的狭いため、店舗端末装置５は、店舗の周辺に存在する歩行者端末装置１および車載端末装置３との間で情報を交換することができ、店舗の周辺に存在する歩行者端末装置１および車載端末装置３から情報を収集するとともに、店舗の周辺に存在する歩行者端末装置１および車載端末装置３に情報を提供することができる。
【００５３】
次に、本通信システムの動作の概要について説明する。図２は、歩行者端末装置１、車載端末装置３、店舗端末装置５、ユーザ端末装置６およびサーバ装置７の動作の概要を示すシーケンス図である。
【００５４】
歩行者端末装置１は、位置情報および歩行者属性情報（歩行者の性別や年齢などに関する情報）などを含むメッセージを歩車間通信によりブロードキャストで送信する。また、車載端末装置３は、位置情報および車両属性情報（運転者の性別や年齢などに関する情報）などを含むメッセージを歩車間通信によりブロードキャストで送信する。
【００５５】
店舗端末装置５は、歩行者端末装置１から送信されるメッセージを受信すると、そのメッセージに含まれる位置情報および歩行者属性情報を抽出して、それらの情報を含む転送情報をサーバ装置７に送信する。また、店舗端末装置５は、車載端末装置３から送信されるメッセージを受信すると、そのメッセージに含まれる位置情報および車両属性情報を抽出して、それらの情報を含む転送情報をサーバ装置７に送信する。
【００５６】
サーバ装置７は、店舗端末装置５から送信される転送情報を受信すると、その転送情報を周辺端末情報として周辺端末データベース（図１７参照）に登録する。そして、サーバ装置７は、所定のタイミング（例えば１日や１ヶ月などの間隔）で、周辺端末データベースに登録された周辺端末情報に基づいて分析処理を行い、この分析処理により、各店舗において店舗管理者などのユーザが宣伝広告の内容を検討する際の参考となる分析結果情報を生成する。この分析結果情報は適宜なタイミングでサーバ装置７からユーザ端末装置６に配信される。
【００５７】
ユーザ端末装置６は、サーバ装置７から配信される分析結果情報を画面に表示させる。店舗管理者などのユーザは、このユーザ端末装置６に表示された分析結果情報を閲覧して、宣伝広告の内容を検討して、宣伝広告の内容を表す宣伝広告情報（報知情報）をユーザ端末装置６で入力する。この宣伝広告情報はユーザ端末装置６から店舗端末装置５に送信される。
【００５８】
店舗端末装置５は、ユーザ端末装置６から取得した宣伝広告情報を含むメッセージを歩車間通信により店舗の周辺に存在する歩行者端末装置１および車載端末装置３に送信する。
【００５９】
歩行者端末装置１は、店舗端末装置５から送信されるメッセージを受信すると、そのメッセージから宣伝広告情報を抽出して、宣伝広告情報を携帯情報端末装置２に出力させる。また、車載端末装置３は、店舗端末装置５から送信されるメッセージを受信すると、そのメッセージから宣伝広告情報を抽出して、宣伝広告情報をカーナビゲーション装置４に出力させる。
【００６０】
次に、歩行者端末装置１の概略構成について説明する。図３は、歩行者端末装置１の概略構成を示すブロック図である。
【００６１】
歩行者端末装置１は、測位部１１と、ＩＴＳ無線通信部１２（受信部および送信部）と、入出力部１３と、制御部１４と、情報格納部１５と、を備えている。
【００６２】
測位部１１は、ＧＰＳ（Global Positioning System）、ＱＺＳＳ（Quasi-Zenith Satellite System）、ＧＬＯＮＡＳＳ（Global Navigation Satellite System）などの衛星測位システムにより自装置の位置情報を取得する。なお、携帯情報端末装置２が有する測位機能を利用して、自装置の位置情報を取得するようにしてもよい。
【００６３】
ＩＴＳ無線通信部１２は、車載端末装置３および店舗端末装置５との間で歩車間通信によりメッセージを送受信する。この歩車間通信では、ＩＴＳを利用した安全運転支援無線システムで採用されている周波数帯を使用して無線通信が行われる。
【００６４】
入出力部１３は、携帯情報端末装置２との間で情報の入出力を行う。この入出力部１３では、注意喚起の出力の指示が携帯情報端末装置２に出力され、この指示に応じて携帯情報端末装置２において、歩行者に対する注意喚起などのための出力動作（例えば音声出力や振動など）が行われる。また、入出力部１３では、宣伝広告情報（報知情報）の出力の指示が携帯情報端末装置２に出力され、この指示に応じて携帯情報端末装置２において、宣伝広告情報の出力動作（例えば画面表示や音声出力など）が行われる。また、入出力部１３では、携帯情報端末装置２を操作してユーザが入力した歩行者属性情報が携帯情報端末装置２から入力される。
【００６５】
なお、携帯情報端末装置２との間の通信は、有線通信の他に、Bluetooth（登録商標）などの無線通信としてもよい。
【００６６】
情報格納部１５は、地図情報、歩行者属性情報、および制御部１４で実行されるプログラムなどを格納する。なお、地図情報を携帯情報端末装置２から取得するようにしてもよい。
【００６７】
制御部１４は、メッセージ送信制御部１６と、危険判定部１７と、報知情報出力制御部１８と、を備えている。この制御部１４はプロセッサで構成され、制御部１４の各部は、情報格納部１５に記憶されたプログラムをプロセッサに実行させることで実現される。
【００６８】
メッセージ送信制御部１６は、ＩＴＳ無線通信部１２でのメッセージの送信を制御する。具体的には、測位部１１から位置情報を取得し、また、情報格納部１５から歩行者属性情報を取得して、その位置情報および歩行者属性情報を含むメッセージを生成して、そのメッセージをＩＴＳ無線通信部１２から送信させる。
【００６９】
危険判定部１７は、測位部１１で取得した歩行者の位置情報の推移状況から歩行者の速度情報および方位情報を取得して、この歩行者の位置情報、速度情報および方位情報と、車載端末装置３から取得した車両の位置情報、速度情報および方位情報に基づいて、注意喚起が必要か否か、すなわち、歩行者に車両が衝突する可能性が高いか否かを判定する。
【００７０】
報知情報出力制御部１８は、店舗端末装置５から送信されてＩＴＳ無線通信部１２で受信したメッセージに含まれる宣伝広告情報および対象属性情報を抽出して、対象属性情報に基づいて携帯情報端末装置２での宣伝広告情報の出力を制御する。具体的には、対象属性情報と自装置の歩行者属性情報とを比較して、対象属性情報が歩行者属性情報と一致する場合には、宣伝広告情報の出力の指示を入出力部１３から携帯情報端末装置２に出力させる。
【００７１】
次に、車載端末装置３の概略構成について説明する。図４は、車載端末装置３の概略構成を示すブロック図である。
【００７２】
車載端末装置３は、測位部３１と、ＩＴＳ無線通信部３２（受信部および送信部）と、入出力部３３と、制御部３４と、情報格納部３５と、を備えている。
【００７３】
測位部３１は、歩行者端末装置１の測位部１１と同様に、衛星測位システムにより自装置の位置情報を取得する。なお、カーナビゲーション装置４が有する測位機能を利用して、自装置の位置情報を取得するようにしてもよい。
【００７４】
ＩＴＳ無線通信部３２は、歩行者端末装置１および店舗端末装置５との間で歩車間通信によりメッセージを送受信するとともに、他車両の車載端末装置３との間で車車間通信によりメッセージを送受信する。この歩車間通信および車車間通信では、歩行者端末装置１のＩＴＳ無線通信部１２と同様に、ＩＴＳを利用した安全運転支援無線システムで採用されている周波数帯を使用して無線通信が行われる。
【００７５】
入出力部３３は、カーナビゲーション装置４との間で情報の入出力を行う。この入出力部３３では、注意喚起の出力の指示がカーナビゲーション装置４に出力され、この指示に応じてカーナビゲーション装置４において、運転者に対する注意喚起などのための出力動作（例えば音声出力や画面表示など）が行われる。また、入出力部３３では、宣伝広告情報（報知情報）の出力の指示がカーナビゲーション装置４に出力され、この指示に応じてカーナビゲーション装置４において、宣伝広告情報の出力動作（例えば画面表示や音声出力など）が行われる。また、入出力部３３では、カーナビゲーション装置４を操作してユーザが入力した車両属性情報がカーナビゲーション装置４から入力される。また、入出力部１３では、車両制御装置９から速度情報等が入力される。
【００７６】
なお、車両制御装置９は、各種のセンサーやスイッチの信号に基づいて、エンジンなどの各種の装置を制御するものであり、速度センサーにより検出される速度情報を出力することができる。
【００７７】
情報格納部３５は、地図情報、車両属性情報、および制御部３４で実行されるプログラムなどを格納する。なお、地図情報をカーナビゲーション装置４から取得するようにしてもよい。
【００７８】
制御部３４は、メッセージ送信制御部３６と、危険判定部３７と、報知情報出力制御部３８と、を備えている。この制御部３４は、プロセッサで構成され、制御部３４の各部は、情報格納部３５に記憶されたプログラムをプロセッサに実行させることで実現される。
【００７９】
メッセージ送信制御部３６は、ＩＴＳ無線通信部３２でのメッセージの送信を制御する。具体的には、測位部３１から位置情報を取得し、また、情報格納部３５から車両属性情報を取得して、その位置情報および車両属性情報を含むメッセージを生成して、そのメッセージをＩＴＳ無線通信部３２から送信させる。
【００８０】
危険判定部３７は、測位部３１で取得した自車両の位置情報の推移状況から自車両の方位情報を取得し、また、車両制御装置９から自車両の速度情報を取得し、この自車両の位置情報、速度情報および方位情報と、歩行者端末装置１から取得した歩行者の位置情報、速度情報および方位情報と、他車両の車載端末装置３から取得した他車両の位置情報、速度情報および方位情報とに基づいて、注意喚起が必要か否か、すなわち、自車両が歩行者や他車両に衝突する可能性が高いか否かを判定する。
【００８１】
報知情報出力制御部３８は、店舗端末装置５から送信されてＩＴＳ無線通信部３２で受信したメッセージに含まれる宣伝広告情報および対象属性情報を抽出して、対象属性情報に基づいてカーナビゲーション装置４での宣伝広告情報の出力を制御する。具体的には、対象属性情報と自装置の車両属性情報とを比較して、対象属性情報が車両属性情報と一致する場合には、宣伝広告情報の出力の指示を入出力部３３からカーナビゲーション装置４に出力させる。
【００８２】
次に、店舗端末装置５の概略構成について説明する。図５は、店舗端末装置５の概略構成を示すブロック図である。
【００８３】
店舗端末装置５は、ＩＴＳ無線通信部５１（受信部および送信部）と、ネットワーク通信部５２と、制御部５３と、情報格納部５４と、を備えている。
【００８４】
ＩＴＳ無線通信部５１は、歩行者端末装置１および車載端末装置３との間でＩＴＳ無線通信（歩車間通信）によりメッセージを送受信する。
【００８５】
ネットワーク通信部５２は、店舗内ＬＡＮおよびインターネットを介してサーバ装置７との間で通信を行う。また、ネットワーク通信部５２は、店舗内ＬＡＮを介してユーザ端末装置６との間で通信を行う。
【００８６】
情報格納部５４は、店舗属性情報、宣伝広告情報、対象属性情報、および制御部５３で実行されるプログラムなどを格納する。
【００８７】
制御部５３は、メッセージ送信制御部５５と、メッセージ転送制御部５６と、を備えている。この制御部５３は、プロセッサで構成され、制御部５３の各部は、情報格納部５４に記憶されたプログラムをプロセッサに実行させることで実現される。
【００８８】
メッセージ送信制御部５５は、ＩＴＳ無線通信部５１でのメッセージの送信を制御する。具体的には、ユーザ端末装置６から送信される宣伝広告情報および対象属性情報をネットワーク通信部５２で受信すると、その宣伝広告情報および対象属性情報と、情報格納部５４に格納された店舗属性情報とを含むメッセージを生成して、そのメッセージをＩＴＳ無線通信部５１から送信させる。
【００８９】
なお、店舗属性情報には、店舗端末情報とその他の店舗情報を含み、店舗端末情報として、店舗の識別情報（店舗ＩＤ）および店舗の位置情報を有し、その他の店舗情報として、店舗名や店舗の種類（コンビニ店、大型スーパー、小型スーパー、レストラン、ファストフード、花屋、美容院など）に関する情報等任意の情報を有するものとする。これらの店舗属性情報のうち、ユーザが店舗を識別しやすい情報をメッセージに含ませるようにするとよい。また、店舗の識別情報（店舗ＩＤ）に代えて店舗端末装置５の識別情報（店舗端末ＩＤ）を用いるようにしてもよい。
【００９０】
メッセージ転送制御部５６は、歩行者端末装置１から送信されてＩＴＳ無線通信部５１で受信したメッセージから歩行者端末情報および歩行者属性情報を抽出して、これらの情報に自身の店舗端末情報を付加した転送情報をネットワーク通信部５２からサーバ装置７に送信させる。また、メッセージ転送制御部５６は、車載端末装置３から送信されてＩＴＳ無線通信部５１で受信したメッセージから車載端末情報および車両属性情報を抽出して、これらの情報に自身の店舗端末情報を付加した転送情報をネットワーク通信部５２からサーバ装置７に送信させる。
【００９１】
次に、ユーザ端末装置６の概略構成について説明する。図６は、ユーザ端末装置６の概略構成を示すブロック図である。
【００９２】
ユーザ端末装置６は、ネットワーク通信部６１（受信部および送信部）と、制御部６２と、情報格納部６３と、表示部６４と、入力操作部６５と、を備えている。
【００９３】
ネットワーク通信部６１は、インターネットを介してサーバ装置７との間で通信を行う。また、ネットワーク通信部６１は、店舗内ＬＡＮを介して店舗端末装置５との間で通信を行う。
【００９４】
情報格納部６３は、制御部６２で実行されるプログラムなどを格納する。
【００９５】
制御部６２は、プロセッサで構成され、サーバ装置７から配信されてネットワーク通信部６１で受信した分析結果情報を表示部６４に表示させる。
【００９６】
表示部６４は、液晶表示パネルなどで構成され、サーバ装置７から配信された分析結果情報を表示する。入力操作部６５は、ユーザが宣伝広告情報（報知情報）および対象属性情報を入力する操作を行う。ここで入力された宣伝広告情報および対象属性情報は、ネットワーク通信部６１から店舗端末装置５に送信される。
【００９７】
次に、サーバ装置７の概略構成について説明する。図７は、サーバ装置７の概略構成を示すブロック図である。
【００９８】
サーバ装置７は、ネットワーク通信部７１（受信部および送信部）と、制御部７２と、情報格納部７３と、を備えている。
【００９９】
ネットワーク通信部７１は、インターネットを介して店舗端末装置５およびユーザ端末装置６との間で通信を行う。
【０１００】
情報格納部７３は、店舗管理データベース（図１６参照）、周辺端末データベース（図１７参照）、および制御部７２で実行されるプログラムなどを格納する。
【０１０１】
制御部７２は、情報管理部７４と、分析処理部７５と、情報配信部７６と、を備えている。この制御部７２は、プロセッサで構成され、制御部７２の各部は、情報格納部７３に記憶されたプログラムをプロセッサに実行させることで実現される。
【０１０２】
情報管理部７４は、店舗管理データベース（図１６参照）および周辺端末データベース（図１７参照）を管理する。店舗管理データベースには、店舗のユーザがＰＣなどのユーザ端末装置からサーバ装置７にアクセスして、ユーザがユーザ端末装置を操作して入力した店舗属性情報が登録される。周辺端末データベースには、店舗端末装置５から送信されてネットワーク通信部７１で受信した転送情報が登録される。
【０１０３】
分析処理部７５は、周辺端末データベースに登録された情報に基づいて分析処理を行い、各店舗において店舗管理者などのユーザが宣伝広告の内容を検討する際の参考となる分析結果情報を生成する。
【０１０４】
情報配信部７６は、分析処理部７５で生成した分析結果情報をネットワーク通信部７１からユーザ端末装置６に配信させる。このとき、ユーザ端末装置６からサーバ装置７にアクセスすることで、分析結果情報がサーバ装置７からユーザ端末装置６に送信されるようにしてもよい。これにより、ユーザ端末装置６では、分析結果情報の画面が表示部６４に表示されて、分析結果情報をユーザが閲覧することができる。
【０１０５】
次に、歩行者端末装置１、車載端末装置３および店舗端末装置５との間で歩車間通信により送受信されるメッセージの基本構成について説明する。図８は、歩車間通信のメッセージの基本構成を示す説明図である。
【０１０６】
歩車間通信により送受信されるメッセージは、歩車間通信のデータ通信フォーマットに基づくものであり、共通領域と自由領域とを有している。共通領域は、データ通信フォーマットで予め規定された情報を格納するものである。自由領域は、データ通信フォーマットでユーザが任意の情報を格納することができるように規定されたものである。
【０１０７】
共通領域は、共通アプリヘッダ領域と共通アプリデータ領域とを有している。共通アプリヘッダ領域には、共通サービス規格ＩＤ、メッセージＩＤ、端末ＩＤ、インクリメントカウンタの各情報が格納される。共通アプリデータ領域には、時刻情報、位置情報、移動状態情報、移動手段情報が格納される。
【０１０８】
ここで、共通サービス規格ＩＤは、共通サービスの規格を識別するものであり、「１」が車車間を示し、「２」が路車間を示し、「３」が歩車間を示す。メッセージＩＤは、メッセージを識別するものであり、「１」が歩行者メッセージを示し、「２」が店舗メッセージを示し、「３」が車両メッセージを示す。端末ＩＤは、メッセージの送信元の歩行者端末装置１、車載端末装置３および店舗端末装置５に付与された端末固有の識別情報である。インクリメントカウンタは、所定のタイミング（１００msec間隔）で送信するメッセージの順番を表すものであり、０から２５５の範囲で送信の度に１加算され、２５５の次は０に戻る。
【０１０９】
また、時刻情報は、メッセージの送信時刻を示す時、分および秒の各情報である。位置情報は、歩行者、車両または店舗の位置を表す緯度、経度および高度の各情報である。移動状態情報は、歩行者または車両の速度および方位の各情報である。移動手段情報は、メッセージの送信元となる歩行者端末装置１、車載端末装置３および店舗端末装置５に応じて異なる。
【０１１０】
自由領域は、自由アプリヘッダ領域と自由アプリデータ領域とを有している。自由アプリヘッダ領域には、個別サービス規格ＩＤおよび個別アプリデータ長の各情報が格納される。自由アプリデータ領域には、個別アプリデータが格納される。
【０１１１】
ここで、個別サービス規格ＩＤは、自由アプリデータ領域に格納される個別アプリデータを識別するものであり、「０１」が歩行者属性情報を示し、「０２」が車両属性情報を示し、「０３」が歩行者端末装置１への報知情報を示し、「０４」が車載端末装置３への報知情報を示す。自由アプリデータ領域に格納される個別アプリデータは、個別サービス規格ＩＤに示される情報の内容が格納されるので、メッセージの送信元となる歩行者端末装置１、車載端末装置３および店舗端末装置５に応じて、その格納内容は異なる。
【０１１２】
なお、自由アプリデータ領域に格納される個別アプリデータには、個人情報が含まれるため、暗号化するようにするとよい。
【０１１３】
次に、歩行者端末装置１から送信されるメッセージについて説明する。図９は、歩行者端末装置１から送信されるメッセージの内容を示す説明図である。
【０１１４】
歩行者端末装置１から送信されるメッセージでは、共通領域の共通アプリヘッダ領域に格納される共通サービス規格ＩＤが、歩車間を示す「３」となり、メッセージＩＤが、歩行者メッセージを示す「１」となる。また、共通アプリデータ領域に格納される移動手段情報が「徒歩」となる。
【０１１５】
また、自由領域の自由アプリヘッダ領域に格納される個別サービス規格ＩＤが、歩行者属性情報を示す「０１」となり、自由領域の自由アプリデータ領域に歩行者属性情報が格納される。
【０１１６】
この歩行者属性情報には、基本属性情報と拡張属性情報とを設けるとよい。ここでは、基本属性情報は、性別および年齢の各情報とする。拡張属性情報は、未婚および既婚の別、子供の有無、家族の人数、職業、記念日、住所、連絡先（電話番号やメールアドレスなど）、店舗会員カード番号等の各情報とする。
【０１１７】
次に、歩行者端末装置１でのメッセージ送信時の動作について説明する。図１０は、歩行者端末装置１でのメッセージ送信時の動作手順を示すフロー図である。
【０１１８】
歩行者端末装置１では、まず、携帯情報端末装置２でユーザが入力した歩行者属性情報を取得する（ＳＴ１０１）。この歩行者属性情報は、情報格納部１５に格納される。
【０１１９】
次に、タイマーを初期化する、すなわち、タイマーのカウント値を０に設定する（ＳＴ１０２）。次に、タイマーのカウント値を１増分する（ＳＴ１０３）。そして、タイマーのカウント値が所定値であるＮとなる否かを判定する（ＳＴ１０４）。なお、所定値のＮは、メッセージを送信する間隔として予め設定されているものとする。ここで、タイマーのカウント値がＮとならない場合には（ＳＴ１０４でＮｏ）、タイマーのカウント値を１増分する（ＳＴ１０３）。そして、タイマーのカウント値がＮとなると（ＳＴ１０４でＹｅｓ）、測位部１１から現在の位置情報を取得して（ＳＴ１０５）、その位置情報および歩行者属性情報を含むメッセージをＩＴＳ無線通信部１２から歩車間通信で送信する（ＳＴ１０６）。
【０１２０】
このように本実施形態では、タイマーのカウントにより、所定の送信間隔（例えば１００msec）で定期的に歩車間通信によるメッセージが送信される。
【０１２１】
次に、車載端末装置３から送信されるメッセージについて説明する。図１１は、車載端末装置３から送信されるメッセージの内容を示す説明図である。
【０１２２】
車載端末装置３から送信されるメッセージでは、共通領域の共通アプリヘッダ領域に格納される共通サービス規格ＩＤが、歩車間を示す「３」となり、メッセージＩＤが、車両メッセージを示す「３」となる。また、共通アプリデータ領域に格納される移動手段情報が、車両サイズ（大型、普通および二輪者など）および車両用途（自家用など）に関する情報となる。
【０１２３】
また、自由領域の自由アプリヘッダ領域に格納される個別サービス規格ＩＤが、車両属性情報を示す「０２」となり、自由領域の自由アプリデータ領域に車両属性情報が格納される。
【０１２４】
この車両属性情報には、基本属性情報と拡張属性情報とを設けるとよい。ここでは、基本属性情報は、運転者の性別および年齢の各情報とする。拡張属性情報は、同乗者の有無、子供の同乗の有無、自家用および業務用の別、車両登録住所、運転者の連絡先、店舗会員カード番号などの各情報とする。
【０１２５】
次に、車載端末装置３でのメッセージ送信時の動作について説明する。図１２は、車載端末装置３でのメッセージ送信時の動作手順を示すフロー図である。
【０１２６】
車載端末装置３では、まず、カーナビゲーション装置４でユーザが入力した車両属性情報を取得する（ＳＴ２０１）。なお、車両属性情報の入力は、例えば出発する際に運転者が行えばよい。この車両属性情報は、情報格納部３５に格納される。
【０１２７】
次に、タイマーを初期化する、すなわち、タイマーのカウント値を０に設定する（ＳＴ２０２）。次に、タイマーのカウント値を１増分する（ＳＴ２０３）。そして、タイマーのカウント値が所定値であるＮとなる否かを判定する（ＳＴ２０４）。なお、所定値のＮは、メッセージを送信する間隔として予め設定されているものとする。ここで、タイマーのカウント値がＮとならない場合には（ＳＴ２０４でＮｏ）、タイマーのカウント値を１増分する（ＳＴ２０３）。そして、タイマーのカウント値がＮとなると（ＳＴ２０４でＹｅｓ）、測位部３１から現在の位置情報を取得して（ＳＴ２０５）、その位置情報および車両属性情報を含むメッセージをＩＴＳ無線通信部３２から歩車間通信で送信する（ＳＴ２０６）。
【０１２８】
このように本実施形態では、タイマーのカウントにより、所定の送信間隔（例えば１００msec）で定期的に歩車間通信によるメッセージが送信される。
【０１２９】
次に、店舗端末装置５からサーバ装置７に送信される転送情報について説明する。図１３は、店舗端末装置５からサーバ装置７に送信される転送情報の内容を示す説明図である。
【０１３０】
店舗端末装置５では、歩行者端末装置１および車載端末装置３から送信されるメッセージを受信すると、そのメッセージから所定の情報を抽出して、その情報に店舗端末情報を付加した転送情報をサーバ装置７に送信する。この転送情報の送信は、歩行者端末装置１および車載端末装置３からのメッセージを受信する度に行われるものとする。
【０１３１】
ここで、歩行者端末装置１から送信されるメッセージを受信した場合には、メッセージから歩行者端末情報および歩行者属性情報を抽出し、また、情報格納部５４の店舗属性情報から店舗端末情報を抽出して、図１３（Ａ）に示すように、店舗端末情報（店舗ＩＤおよび店舗の位置情報）と、歩行者端末情報（端末ＩＤ、受信時刻、位置、移動速度および方向、端末種別）と、歩行者属性情報、すなわち、基本属性情報（歩行者の性別および年齢）および拡張属性情報（未婚および既婚の別、子供の有無など）とを含む転送情報をサーバ装置７に送信する。なお、店舗属性情報の他の店舗情報も合わせて転送情報に含めるようにしてもよい。
【０１３２】
また、車載端末装置３から送信されるメッセージを受信した場合には、メッセージから車載端末情報および車両属性情報を抽出し、また、情報格納部５４の店舗属性情報から店舗端末情報を抽出して、図１３（Ｂ）に示すように、店舗端末情報（店舗ＩＤおよび店舗の位置情報）と、車載端末情報（端末ＩＤ、受信時刻、位置、移動速度および方向、端末種別）と、車両属性情報、すなわち、基本属性情報（運転者の性別および年齢）および拡張属性情報（同乗者の有無、子供の同乗の有無など）とを含む転送情報をサーバ装置７に送信する。
【０１３３】
なお、本実施形態では、歩行者端末装置１および車載端末装置３からのメッセージを受信する度に、そのメッセージから所定の情報を抽出して、その情報を含む転送情報をサーバ装置７に送信するようにしたが、複数のメッセージからそれぞれ抽出された所定の情報を一括した転送情報をサーバ装置７に送信するようにしてもよい。
【０１３４】
次に、店舗端末装置５でのメッセージの受信時の動作について説明する。図１４は、店舗端末装置５でのメッセージ受信時の動作手順を示すフロー図である。
【０１３５】
店舗端末装置５では、まず、ＩＴＳ無線通信部５１でメッセージを受信すると（ＳＴ３０１でＹｅｓ）、そのメッセージの送信元が歩行者端末装置１か否かを判定する（ＳＴ３０２）。メッセージの送信元は、受信したメッセージ内のメッセージＩＤから判定することができる。ここで、メッセージの送信元が歩行者端末装置１である場合には（ＳＴ３０２でＹｅｓ）、メッセージから歩行者属性情報を抽出するとともに、メッセージを受信した時刻に関する受信時刻情報を取得する（ＳＴ３０３）。そして、店舗端末情報、歩行者端末情報、歩行者属性情報および受信時刻情報を含む転送情報をネットワーク通信部５２からサーバ装置７に送信する（ＳＴ３０４）。
【０１３６】
一方、メッセージの送信元が歩行者端末装置１でない場合には（ＳＴ３０２でＮｏ）、次に、メッセージの送信元が車載端末装置３か否かを判定する（ＳＴ３０５）。ここで、メッセージの送信元が車載端末装置３である場合には（ＳＴ３０５でＹｅｓ）、メッセージから車両属性情報を抽出するとともに、メッセージを受信した時刻に関する受信時刻情報を取得する（ＳＴ３０６）。そして、店舗端末情報、車載端末情報、車両属性情報および受信時刻情報を含む転送情報をサーバ装置７に送信する（ＳＴ３０４）。
【０１３７】
なお、メッセージの送信元が車載端末装置３でない場合には（ＳＴ３０５でＮｏ）、特に処理は行われない。
【０１３８】
次に、サーバ装置７の動作について説明する。図１５（Ａ）は、転送情報受信時の動作手順を示すフロー図である。図１５（Ｂ）は、分析処理に関する動作手順を示すフロー図である。
【０１３９】
図１５（Ａ）に示すように、サーバ装置７では、店舗端末装置５から送信される転送情報を受信すると（ＳＴ４０１でＹｅｓ）、その転送情報から店舗ＩＤを抽出する（ＳＴ４０２）。そして、その店舗ＩＤに対応した周辺端末データベースに転送情報を登録する（ＳＴ４０３）。
【０１４０】
図１５（Ｂ）に示すように、サーバ装置７では、まず、初期設定として、ユーザの操作入力に応じて、店舗管理データベースに店舗ＩＤなどの情報を登録する（ＳＴ４１１）。また、初期設定として、ユーザの操作入力に応じて、分析間隔Ｍ（例えば１ヶ月や１日など）を設定する（ＳＴ４１２）。この分析間隔Ｍは、分析処理を実施するタイミングを規定するとともに、分析対象期間となり、分析間隔Ｍの間に収集された情報に基づいて分析処理が実施される。
【０１４１】
次に、タイマーを初期化する、すなわち、タイマーのカウント値を０に設定する（ＳＴ４１３）。次に、タイマーのカウント値を１増分する（ＳＴ４１４）。そして、タイマーのカウント値がＭとなる否かを判定する（ＳＴ４１５）。ここで、タイマーのカウント値がＭとならない場合には（ＳＴ４１５でＮｏ）、タイマーのカウント値を１増分する（ＳＴ４１４）。そして、タイマーのカウント値がＭとなる（ＳＴ４１５でＹｅｓ）、すなわち、分析処理を実施するタイミングになると、分析処理部７５において、各店舗の周辺端末データベースに登録された情報に基づいて分析処理を実施する（ＳＴ４１６）。
【０１４２】
このように本実施形態では、タイマーのカウントにより、ユーザが指定した分析間隔Ｍで定期的に分析処理が実施される。また、分析処理を実施すると、その分析結果情報を表示する画面をユーザ端末装置６に配信し、店舗管理者が分析結果情報を閲覧することができる。
【０１４３】
次に、サーバ装置７で運用される店舗管理データベースおよび周辺端末データベースについて説明する。図１６は、店舗管理データベースの登録内容を示す説明図である。図１７は、周辺端末データベースの登録内容を示す説明図である。
【０１４４】
図１６に示すように、店舗管理データベースは、店舗に関する情報を管理するものであり、この店舗管理データベースには、店舗ＩＤ、店舗名称、店舗種類、店舗住所、店舗位置情報の各項目に関する情報が登録されている。
【０１４５】
図１７に示すように、周辺端末データベースは、店舗端末装置５から送信される転送情報を周辺端末情報として管理するものであり、この周辺端末データベースには、店舗ＩＤ、店舗名称、受信日、受信時間、端末種別、端末ＩＤ、端末位置情報、基本属性、拡張属性、入店の各項目に関する情報が登録されている。この周辺端末データベースは、店舗ごとに構築される。
【０１４６】
次に、サーバ装置７で行われる分析処理について説明する。図１８および図１９は、サーバ装置７の分析処理で生成される分析結果情報の一例を示す説明図である。
【０１４７】
図１８（Ａ）に示す例は、１つの店舗における店舗前を通行する人物の属性ごとの人数の時間帯ごとの推移状況を表すグラフである。図１８（Ｂ）に示す例は、図１８（Ａ）に示すグラフの元になる統計値の一覧表である。この場合、周辺端末数、すなわち、店舗の周辺に存在する歩行者端末装置１の数を、店舗前を通行する人物の人数として、歩行者属性情報に含まれる性別、年齢および職業に基づいて、学生、社会人男性、社会人女性、無職男性、無職女性の各属性にグループ分けして、各属性の人数を時間帯別に集計して、各属性の時間帯ごとの人数を取得すればよい。
【０１４８】
このようなグラフおよび一覧表により、どのような属性の人物がどの時間帯に店舗前をどの程度通行しているかをユーザが把握することができ、店舗前通行量調査と同様の機能が得られ、対象となる属性や配信する内容や配信する時間帯をユーザが決定して、宣伝広告を配信することで、入店率を高めて売上の向上を図ることができる。図１８に示す例では、１７時の時間帯に無職男性（高齢の男性）の通行量が多いことがわかり、１７時の時間帯に無職男性に向けて入店を促す効果的な宣伝広告を配信するとよい。
【０１４９】
図１９（Ａ）に示す例は、１つの店舗における店舗前を通行する人物の年代（年齢層）ごとの入店率を表すグラフである。図１９（Ｂ）に示す例は、図１９（Ａ）に示すグラフの元になる統計値の一覧表である。この場合、歩行者の位置情報に基づいて歩行者が入店したか否かを判定し、また、歩行者属性情報に基づいて歩行者を年代別に振り分けて、歩行者の年代ごとの入店率を取得すればよい。なお、図１９に示す例では、対象となる歩行者を女性に限定している。また、図１９に示す例では、月平均値、すなわち１ヶ月の各日の平均値を表している。
【０１５０】
このようなグラフおよび一覧表により、入店率が低い属性（年代）を把握することができ、入店率が低い属性の人物を対象にして宣伝広告を行うことで、入店率を高めて売上の向上を図ることができる。図１９に示す例では、４０代以上の女性の入店率が低いことがわかり、４０代以上の女性に向けて入店を促す効果的なタイムセール等の宣伝広告を配信するとよい。また、店舗では、４０代以上の女性に向けた商品を拡充する品揃えの変更を実施するとよい。
【０１５１】
なお、図１８（Ａ）や図１９（Ａ）に示すようなグラフと、図１８（Ｂ）や図１９（Ｂ）に示すような一覧表との両方を分析結果表示情報としてユーザ端末装置６に配信すればよいが、グラフおよび一覧表のいずれか一方のみを分析結果表示情報としてユーザ端末装置６に配信するようにしてもよい。
【０１５２】
また、サーバ装置７では、複数の店舗に関する周辺端末情報が収集されるため、複数の店舗ごとの分析結果情報を１つのグラフや一覧表に表すようにしてもよく、これにより、複数の店舗ごとの分析結果情報を容易に比較することができる。この場合、同一系列の各店舗の比較が行えるようにする他、店舗の種別が同一となる別系列（競合他社）の店舗同士の比較が行えるようにしてもよい。
【０１５３】
次に、店舗端末装置５から歩行者端末装置１を宛先として送信されるメッセージについて説明する。図２０は、店舗端末装置５から歩行者端末装置１を宛先として送信されるメッセージの内容を示す説明図である。
【０１５４】
店舗端末装置５から歩行者端末装置１を宛先として送信されるメッセージでは、共通領域の共通アプリヘッダ領域に格納される共通サービス規格ＩＤが、歩車間を示す「３」となり、メッセージＩＤが、店舗メッセージを示す「２」となる。また、共通アプリデータ領域に格納される移動状態情報はブランクとなり、移動手段情報は「固定店舗」となる。
【０１５５】
また、自由領域の自由アプリヘッダ領域に格納される個別サービス規格ＩＤは、歩行者端末装置１への報知情報を示す「０３」となり、これにより、歩行者端末装置１が自分を宛先としたメッセージであることを判別することができる。また、自由アプリデータ領域には、対象属性情報、宣伝広告情報（報知情報）、および店舗属性情報が格納される。
【０１５６】
対象属性情報は、歩行者端末装置１に接続された携帯情報端末装置２で宣伝広告情報（報知情報）を出力する対象となる属性を指定するものである。
【０１５７】
ここで、本実施形態では、歩行者端末装置１において、対象属性情報と自装置の歩行者属性情報とを比較して、対象属性情報が歩行者属性情報と一致する場合に、宣伝広告情報を携帯情報端末装置２で出力させる。このとき、対象属性情報の各項目のうち、情報がある項目、すなわち、ブランクでない項目の全てが一致する場合に、携帯情報端末装置２で宣伝広告情報を出力させる。図２０に示す例では、既婚で子供を有する女性を対象としており、対象属性情報の３つの項目に情報があり、この３つの項目が一致すると、携帯情報端末装置２で宣伝広告情報を出力させる。
【０１５８】
宣伝広告情報（報知情報）は、携帯情報端末装置２で出力することで歩行者に報知する宣伝広告の内容を表す情報であり、例えば、特売やタイムセールの実施期間および対象となる商品名に関する情報となる。図２０に示す例では、「本日１６時よりＡ商品を通常の半額で販売します」との文字情報が宣伝広告情報として格納されており、この宣伝広告の内容を表す文字情報が携帯情報端末装置２に画面表示される。
【０１５９】
歩行者端末装置１に送信される店舗属性情報は、この例では、配信元となる店舗の店舗名および店舗の種類（コンビニ店、大型スーパー、小型スーパー、レストラン、ファストフード、花屋、美容院など）に関する情報としている。
【０１６０】
次に、店舗端末装置５から車載端末装置３を宛先として送信されるメッセージについて説明する。図２１は、店舗端末装置５から車載端末装置３を宛先として送信されるメッセージの内容を示す説明図である。
【０１６１】
店舗端末装置５から車載端末装置３を宛先として送信されるメッセージでは、共通領域の共通アプリヘッダ領域に格納される共通サービス規格ＩＤが、歩車間を示す「３」となり、メッセージＩＤが、店舗メッセージを示す「２」となる。また、共通アプリデータ領域に格納される移動状態情報はブランクとなり、移動手段情報は「固定店舗」となる。
【０１６２】
また、自由領域の自由アプリヘッダ領域に格納される個別サービス規格ＩＤは、車載端末装置３への報知情報を示す「０４」となり、これにより、車載者端末装置が自分を宛先としたメッセージであることを判別することができる。また、自由アプリデータ領域には、対象属性情報、宣伝広告情報（報知情報）、および店舗属性情報が格納される。
【０１６３】
対象属性情報は、車載端末装置３に接続されたカーナビゲーション装置４で宣伝広告情報（報知情報）を出力する対象となる属性を指定するものであり、対象属性情報が自装置の車両属性情報が一致する場合に、宣伝広告情報をカーナビゲーション装置４で出力させる。図２１に示す例では、子供が同乗する自家用自動車を対象としており、対象属性情報の３つの項目に情報があり、この３つの項目が一致すると、カーナビゲーション装置４で宣伝広告情報を出力させる。
【０１６４】
宣伝広告情報（報知情報）は、カーナビゲーション装置４で出力することで運転者や同乗者に報知する宣伝広告の内容を表す情報であり、例えば、特売やタイムセールの実施期間および対象となる商品名に関する情報となる。図２１に示す例では、「本日、デザートを半額で提供します」との文字情報が宣伝広告情報として格納されており、この宣伝広告の内容を表す文字情報がカーナビゲーション装置４に画面表示される。
【０１６５】
車載端末装置３に送信される店舗属性情報は、この例では、配信元となる店舗の店舗名および店舗の種類（コンビニ店、大型スーパー、小型スーパー、レストラン、ファストフード、花屋、美容院など）に関する情報としている。
【０１６６】
次に、店舗端末装置５でのメッセージ送信時の動作について説明する。図２２は、店舗端末装置５でのメッセージ送信時の動作手順を示すフロー図である。
【０１６７】
店舗端末装置５では、まず、ユーザ端末装置６で店舗管理者などのユーザが入力した宣伝広告情報および対象属性情報を取得する（ＳＴ５０１）。これらの情報は、情報格納部５４に格納される。
【０１６８】
次に、タイマーを初期化する、すなわち、タイマーのカウント値を０に設定する（ＳＴ５０２）。次に、タイマーのカウント値を１増分する（ＳＴ５０３）。そして、タイマーのカウント値が所定値であるＮとなる否かを判定する（ＳＴ５０４）。なお、所定値のＮは、宣伝広告情報を含むメッセージを送信する間隔として予め設定されているものとする。ここで、タイマーのカウント値がＮとならない場合には（ＳＴ５０４でＮｏ）、タイマーのカウント値を１増分する（ＳＴ５０３）。そして、タイマーのカウント値がＮとなると（ＳＴ５０４でＹｅｓ）、宣伝広告情報および対象属性情報を含むメッセージをＩＴＳ無線通信部５１から歩車間通信で送信する（ＳＴ５０５）。
【０１６９】
このように本実施形態では、タイマーのカウントにより、所定の送信間隔で定期的に、宣伝広告情報を含むメッセージが歩車間通信によって店舗の周辺にいる歩行者端末装置１や車載端末装置３に送信される。なお、タイマーのカウントによらずに、宣伝広告情報を含むメッセージを送信する時間を予め設定しておき、その時間になったら送信が行われるようにしてもよい。また、複数の所定の宣伝広告情報を各々所定の時間に送信する送信スケジュールを設定しておき、そのスケジュールに基づいて送信が行われるようにしてもよい。
【０１７０】
次に、歩行者端末装置１でのメッセージ受信時の動作について説明する。図２３は、歩行者端末装置１でのメッセージ受信時の動作手順を示すフロー図である。
【０１７１】
歩行者端末装置１では、まず、ＩＴＳ無線通信部１２でメッセージを受信すると（ＳＴ６０１でＹｅｓ）、そのメッセージの送信元が車載端末装置３か否かを判定する（ＳＴ６０２）。ここで、メッセージの送信元が車載端末装置３である場合には（ＳＴ６０２でＹｅｓ）、危険判定部１７において、注意喚起が必要か否か、すなわち、歩行者に車両が衝突する可能性が高いか否かを判定する（ＳＴ６０３）。ここで、注意喚起が必要である場合には（ＳＴ６０３でＹｅｓ）、携帯情報端末装置２に注意喚起の出力を指示する（ＳＴ６０４）。
【０１７２】
一方、メッセージの送信元が車載端末装置３でない場合には（ＳＴ６０２でＮｏ）、次に、メッセージの送信元が店舗端末装置５か否かを判定する（ＳＴ６０５）。ここで、メッセージの送信元が店舗端末装置５である場合には（ＳＴ６０５でＹｅｓ）、次に、メッセージが歩行者端末装置１を宛先とするものか否かを判定する（ＳＴ６０６）。ここで、メッセージが歩行者端末装置１を宛先とするものである場合には（ＳＴ６０６でＹｅｓ）、報知情報出力制御部１８において、メッセージに含まれる対象属性情報と自装置の歩行者属性情報とが一致するか否かを判定する（ＳＴ６０７）。ここで、対象属性情報と歩行者属性情報とが一致する場合には（ＳＴ６０７でＹｅｓ）、携帯情報端末装置２に宣伝広告情報（報知情報）の出力を指示する（ＳＴ６０８）。
【０１７３】
また、注意喚起が必要でない場合には（ＳＴ６０３でＮｏ）、特に処理は行われない。また、メッセージの送信元が店舗端末装置５でない場合、すなわち、メッセージの送信元が他の歩行者端末装置１や路側装置である場合や（ＳＴ６０５でＮｏ）、メッセージが歩行者端末装置１を宛先とするものでない、すなわち、メッセージが車載端末装置３を宛先とするものである場合や（ＳＴ６０６でＮｏ）、対象属性情報と歩行者属性情報とが一致しない場合には（ＳＴ６０７でＮｏ）、特に処理は行われない。
【０１７４】
次に、車載端末装置３でのメッセージ受信時の動作について説明する。図２４は、車載端末装置３でのメッセージ受信時の動作手順を示すフロー図である。
【０１７５】
車載端末装置３では、まず、ＩＴＳ無線通信部３２でメッセージを受信すると（ＳＴ７０１でＹｅｓ）、そのメッセージの送信元が歩行者端末装置１か否かを判定する（ＳＴ７０２）。ここで、メッセージの送信元が歩行者端末装置１である場合には（ＳＴ７０２でＹｅｓ）、危険判定部３７において、注意喚起が必要か否か、すなわち、歩行者に車両が衝突する可能性が高いか否かを判定する（ＳＴ７０３）。ここで、注意喚起が必要である場合には（ＳＴ７０３でＹｅｓ）、カーナビゲーション装置４に注意喚起の出力を指示する（ＳＴ７０４）。
【０１７６】
一方、メッセージの送信元が歩行者端末装置１でない場合には（ＳＴ７０２でＮｏ）、次に、メッセージの送信元が店舗端末装置５か否かを判定する（ＳＴ７０５）。ここで、メッセージの送信元が店舗端末装置５である場合には（ＳＴ７０５でＹｅｓ）、次に、メッセージが車載端末装置３を宛先とするものか否かを判定する（ＳＴ７０６）。ここで、メッセージが車載端末装置３を宛先とするものである場合には（ＳＴ７０６でＹｅｓ）、報知情報出力制御部３８において、メッセージに含まれる対象属性情報と自装置の車両属性情報とが一致するか否かを判定する（ＳＴ７０７）。ここで、対象属性情報と車両属性情報とが一致する場合には（ＳＴ７０７でＹｅｓ）、カーナビゲーション装置４に宣伝広告情報（報知情報）の出力を指示する（ＳＴ７０８）。
【０１７７】
また、注意喚起が必要でない場合には（ＳＴ７０３でＮｏ）、特に処理は行われない。また、メッセージの送信元が店舗端末装置５でない場合、すなわち、メッセージの送信元が路側装置である場合や（ＳＴ７０５でＮｏ）、メッセージが車載端末装置３を宛先とするものでない、すなわち、メッセージが歩行者端末装置１を宛先とするものである場合や（ＳＴ７０６でＮｏ）、対象属性情報と車両属性情報とが一致しない場合には（ＳＴ７０７でＮｏ）、特に処理は行われない。
【０１７８】
なお、メッセージの送信元が他の車載端末装置３である場合には、メッセージの送信元が歩行者端末装置１である場合（ＳＴ７０２でＹｅｓ）と同様に、注意喚起が必要である場合、すなわち、自車両が他車両に衝突する可能性が高い場合に（ＳＴ７０３でＹｅｓ）、カーナビゲーション装置４に注意喚起の出力を指示する（ＳＴ７０４）。
【０１７９】
なお、本実施形態では、店舗端末装置５から送信されたメッセージに含まれる対象属性情報と自装置の車両属性情報とが一致する場合に、店舗端末装置５から送信されたメッセージに含まれる宣伝広告情報（報知情報）を出力するようにしたが、ユーザが希望する店舗の種別をユーザに入力させて、この希望する店舗の種別と、メッセージに含まれる対象属性とが一致する場合に、宣伝広告情報を出力するようにしてもよい。この場合、車両属性情報の中の検索店舗種別の項目を設けて、この項目に、ユーザが入力した希望する店舗の種別に関する情報を登録するようにすればよい。
【０１８０】
以上のように、本実施形態では、店舗の周辺に存在する歩行者端末装置１の数（周辺端末数）から、店舗前を通行する歩行者の人数（店舗前の歩行者の通行量）を取得することができ、店舗前を通行する人物の時間帯ごとの人数を表す分析結果情報をユーザ端末装置６に配信して店舗管理者に提示することで、店舗管理者は、店舗前を通行する人物が多い時間帯を把握することができる。これにより、店舗管理者が、ユーザ端末装置６で、店舗前を通行する人物が多い時間帯をメッセージの送信時刻に設定して、その時刻に宣伝広告情報を含むメッセージを店舗端末装置５から送信することで、多数の人物を対象にした効果的な宣伝広告を行うことができる。
【０１８１】
また、本実施形態では、歩行者属性情報から、店舗前を通行する人物の属性を取得することができ、店舗前を通行する人物を属性別に集計して、店舗前を通行する人物の属性分布状況（属性ごとの人数）を表す分析結果情報をユーザ端末装置６に配信して店舗管理者に提示することで、店舗管理者は、どのような属性の人物が店舗前を多く通行しているかを把握することができる。これにより、店舗管理者は、ユーザ端末装置６で、店舗前を多く通行する属性をメッセージの配信対象に設定して、その属性を指定した対象属性情報と、属性に適合した宣伝広告情報を含むメッセージを店舗端末装置５から送信することで、効果的な宣伝広告を行うことができる。例えば、女性(男性）が多い場合には、女性(男性）向けの宣伝広告情報を含むメッセージを送信し、また、高齢者(若年者）が多い場合には、高齢者(若年者）向けの宣伝広告情報を含むメッセージを送信するとよい。
【０１８２】
また、本実施形態では、店舗の周辺に存在する車載端末装置３の数（周辺端末数）から、店舗前を通行する車両の台数（店舗前の車両の通行量）を取得することができ、店舗前を通行する車両の台数を表す分析結果情報をユーザ端末装置６に配信して、店舗前を通行する車両が多い場合には、車両向けの宣伝広告情報を含むメッセージを送信するようにしてもよい。
【０１８３】
また、店舗端末装置５における宣伝広告情報を含むメッセージの送信状況に関する情報をサーバ装置７に送信して、サーバ装置７において、メッセージの送信状況に関する情報に基づく分析処理を行うようにしてもよい。例えば、メッセージを送信した時間帯における入店数を集計するようにしてもよく、これにより、宣伝広告の効果を確認することができる。
【０１８４】
（第２実施形態）
次に、第２実施形態について説明する。なお、ここで特に言及しない点は前記の実施形態と同様である。図２５は、第２実施形態に係る歩行者端末装置１、車載端末装置３、店舗端末装置５およびサーバ装置７で行われる処理の概要を示すシーケンス図である。
【０１８５】
第１実施形態では、サーバ装置７から配信される分析結果情報をユーザ端末装置６に表示して、その分析結果情報をユーザが見て、宣伝広告情報および配信時刻をユーザが入力するようにしたが、本実施形態では、サーバ装置７において、分析処理の後に、分析結果情報に基づいて宣伝広告情報（報知情報）を生成するようにしている。
【０１８６】
この場合、サーバ装置７において、宣伝広告情報とともに、その宣伝広告情報を配信するのに適した配信時刻が設定され、宣伝広告情報および配信時刻を含む配信指示がサーバ装置７から店舗端末装置５に送信され、店舗端末装置５において、配信時刻に応じて宣伝広告情報を含むメッセージが歩車間通信で送信される。
【０１８７】
次に、サーバ装置７で運用される配信情報データベースについて説明する。図２６は、配信情報データベースの登録内容を示す説明図である。
【０１８８】
サーバ装置７では、各店舗に対する宣伝広告情報（報知情報）の配信状況を管理する配信情報データベースが運用される。この配信情報データベースには、店舗ＩＤ、店舗名称、配信日、配信時間、配信内容（宣伝広告情報の内容）の各項目に関する情報が登録されている。これにより、各店舗に対する過去の宣伝広告情報の配信状況を、サーバ装置７のユーザが把握することができる。
【０１８９】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１９０】
例えば、前記の実施形態では、歩行者端末装置１および車載端末装置３が、店舗に設置された店舗端末装置５との間で歩車間通信によるメッセージを送受信するようにしたが、歩行者端末装置１および車載端末装置３との間で歩車間通信によるメッセージを送受信する通信装置を、店舗以外の施設や設置物に設置するようにしてもよい。例えば、学習塾に通信装置を設置するようにしてもよい。この場合、学習塾の前を通行する子供の通行量を取得することで、学習塾の周辺に居住する子供の人数を推測することができる。また、自動販売機に通信装置を設けるようにしてもよい。この場合、自動販売機の前を通行する人物の属性分布（属性ごとの人数）を取得することで、人物の属性に応じた嗜好に合うように品揃えを変更することができる。
【０１９１】
また、前記の実施形態では、複数の店舗を統括するために設置されたサーバ装置７で、複数の店舗端末装置５から収集した歩行者属性情報および車両属性情報に基づいて、複数の店舗を対象にした分析処理を行うようにしたが、店舗に設置されたＰＣなどのユーザ端末装置６で、１つの店舗のみを対象にして分析処理を行うようにしてもよい。
【産業上の利用可能性】
【０１９２】
本発明に係る通信装置、通信システム、情報収集方法および情報報知方法は、所定の場所の周辺に存在する人物の属性情報を効率よく低コストに収集することができ、また、所定の場所の周辺に存在する人物に情報を効率よく低コストに報知することができる効果を有し、歩車間通信端末装置との間で、歩車間通信のデータ通信フォーマットに基づくメッセージを送受信する通信装置、歩車間通信端末装置と通信装置とを備える通信システム、所定の場所の周辺に存在する人物に関する分析処理のために、所定の場所の周辺に存在する人物の属性情報を収集する情報収集方法、および所定の場所の周辺に存在する歩車間通信端末装置を利用する人物に所定の情報を報知する情報報知方法などとして有用である。
【符号の説明】
【０１９３】
１  歩行者端末装置（歩車間通信端末装置）
２  携帯情報端末装置
３  車載端末装置（歩車間通信端末装置）
４  カーナビゲーション装置
５  店舗端末装置
６  ユーザ端末装置
７  サーバ装置
９  車両制御装置
１２  ＩＴＳ無線通信部（受信部および送信部）
１４  制御部
１６  メッセージ送信制御部
１８  報知情報出力制御部
３２  ＩＴＳ無線通信部（受信部および送信部）
３４  制御部
３６  メッセージ送信制御部
３８  報知情報出力制御部
５１  ＩＴＳ無線通信部（受信部および送信部）
５２  ネットワーク通信部
５３  制御部
５５  メッセージ送信制御部
５６  メッセージ転送制御部
６１  ネットワーク通信部（受信部および送信部）
６２  制御部
６４  表示部
６５  入力操作部
７１  ネットワーク通信部（受信部および送信部）
７２  制御部
【図１】
2018026718.tif 000003
【図２】
2018026718.tif 000004
【図３】
2018026718.tif 000005
【図４】
2018026718.tif 000006
【図５】
2018026718.tif 000007
【図６】
2018026718.tif 000008
【図７】
2018026718.tif 000009
【図８】
2018026718.tif 000010
【図９】
2018026718.tif 000011
【図１０】
2018026718.tif 000012
【図１１】
2018026718.tif 000013
【図１２】
2018026718.tif 000014
【図１３】
2018026718.tif 000015
【図１４】
2018026718.tif 000016
【図１５】
2018026718.tif 000017
【図１６】
2018026718.tif 000018
【図１７】
2018026718.tif 000019
【図１８】
2018026718.tif 000020
【図１９】
2018026718.tif 000021
【図２０】
2018026718.tif 000022
【図２１】
2018026718.tif 000023
【図２２】
2018026718.tif 000024
【図２３】
2018026718.tif 000025
【図２４】
2018026718.tif 000026
【図２５】
2018026718.tif 000027
【図２６】
2018026718.tif 000028